(57)【要約】  光ディスクのための物理的アドレス情報の記録方法及びその光ディスクが開示される。その光ディスクは、最内周領域から所定領域までの第１記録単位領域と、所定領域から最外周領域までの第２記録単位領域とを備え、第１記録単位領域には、第１記録単位領域の所定の１トラックの長さより短い第１記録単位にデータが記録され、第２記録単位領域には、第１記録単位の長さより長い第２記録単位にデータが記録され、第１記録単位領域のそれぞれの第１記録単位の物理的アドレス情報を表す第１類型のアドレス情報が記録され、第２記録単位領域のそれぞれの第２記録単位の物理的アドレス情報を表す第２類型のアドレス情報が記録されたことを特徴とする。これにより、相異なるフォーマットの記録ブロックを利用してデータを記録できるようにするために、相異なる類型の物理的アドレス情報を光ディスクに記録することにより、各記録ブロックの記録位置を効果的に表すことができる。
2007527088.tif 000002
【特許請求の範囲】
【請求項１】
記録及び／または再生装置に使用するための光ディスクにおいて、
最内周領域から所定領域までの第１記録単位領域と、
前記所定領域から最外周領域までの第２記録単位領域とを備え、
前記第１記録単位領域には、前記第１記録単位領域の所定の１トラックの長さより短い第１記録単位にデータが前記装置により記録され、前記第２記録単位領域には、前記第１記録単位の長さより長い第２記録単位に前記装置によりデータが記録され、
前記第１記録単位領域のそれぞれの第１記録単位の物理的アドレス情報を表す第１類型のアドレス情報が前記装置により記録され、前記第２記録単位領域のそれぞれの第２記録単位の物理的アドレス情報を表す第２類型のアドレス情報が記録されたことを特徴とする光ディスク。
【請求項２】
前記第１類型のアドレス情報及び前記第２類型のアドレス情報は、相異なるウォッブルを利用して記録されたことを特徴とする請求項１に記載の光ディスク。
【請求項３】
前記第１類型のアドレス情報及び前記第２類型のアドレス情報は、同じウォッブルを利用して同じアドレス情報量を記録し、
前記第２類型のアドレス情報のうちアドレス情報でフルになっていない部分は、付加情報を含むことを特徴とする請求項１に記載の光ディスク。
【請求項４】
前記第１類型のアドレス情報及び前記第２類型のアドレス情報は、相異なるアドレス情報構造を利用することを特徴とする光請求項１に記載のディスク。
【請求項５】
前記第１記録単位領域は、リードイン領域であり、前記第２記録単位領域は、リードイン領域以外の領域であることを特徴とする請求項１に記載の光ディスク。
【請求項６】
第１記録単位領域及び第２記録単位領域を備え、前記第１記録単位領域には、前記第１記録単位領域の所定の１トラックの長さより短い第１記録単位にデータが記録され、前記第２記録単位領域には、前記第１記録単位の長さより長い第２記録単位にデータを記録する光ディスクに物理的アドレス情報を記録する方法において、
前記第１記録単位の物理的アドレス情報を記録する場合、前記第１記録単位の長さと同じ長さを有する第１類型の物理的アドレス情報を記録するステップと、
前記第２記録単位の物理的アドレス情報を記録する場合、前記第２記録単位の長さと同じ長さを有する第２類型の物理的アドレス情報を記録するステップとを含むことを特徴とする方法。
【請求項７】
前記第１類型のアドレス情報及び前記第２類型のアドレス情報は、相異なるウォッブルを利用して記録されたことを特徴とする請求項６に記載の方法。
【請求項８】
前記第１類型のアドレス情報及び前記第２類型のアドレス情報は、同じウォッブルを利用して同じアドレス情報量を記録し、
前記第２類型のアドレス情報のうちアドレス情報でフルになっていない部分は、付加情報を含むことを特徴とする請求項６に記載の方法。
【請求項９】
前記第１類型のアドレス情報及び前記第２類型のアドレス情報は、相異なるアドレス情報構造を利用することを特徴とする請求項６に記載の方法。
【請求項１０】
前記第１記録単位領域は、リードイン領域であり、前記第２記録単位領域は、リードイン領域以外の領域であることを特徴とする請求項６に記載の方法。
【請求項１１】
記録及び／または再生装置と使用するための情報記録媒体において、
第１記録ブロックに前記装置により記録されるデータ及び前記第１記録ブロックの対応する第１アドレス情報を保存する第１記録領域と、
第２記録ブロックに前記装置により記録されるデータ及び前記第２記録ブロックの対応する第２アドレス情報を保存する第２記録領域とを備え、
前記第２記録ブロックは、第１記録ブロックより大きいことを特徴とする情報記録媒体。
【請求項１２】
前記第１記録領域及び前記第２記録領域は、リードイン領域とユーザデータ領域との境界により定義されることを特徴とする請求項１１に記載の情報記録媒体。
【請求項１３】
前記情報記録媒体は、コンパクト光ディスクであることを特徴とする請求項１１に記載の情報記録媒体。
【請求項１４】
前記第１アドレス情報及び第１記録ブロックは、第１記録ブロックの放射状方向に重なる領域が生じることが防止されるように、それぞれ第１長さであり、第２アドレス情報及び第２記録ブロックは、それぞれ第２長さであることを特徴とする請求項１１に記載の情報記録媒体。
【請求項１５】
前記第１アドレス情報は、第１記録領域で第１ウォッブルを利用して前記装置により記録され、前記第２アドレス情報は、第２記録領域で第２ウォッブルを利用して前記装置により記録され、前記第１ウォッブルは、前記第２ウォッブル周期の個数よりさらに少数の第１ウォッブル周期を含むことを特徴とする請求項１１に記載の情報記録媒体。
【請求項１６】
前記第１アドレス情報は、前記第１記録領域でウォッブルを利用して前記装置により記録され、第２アドレス情報は、前記第２記録領域で前記ウォッブルを利用して前記装置により記録され、前記装置は、前記第１記録ブロックに対応する長さにだけある第２記録領域で第２アドレス情報を記録し、前記第２アドレス情報に対応する前記第２記録領域の残りの部分は、ヌルデータで前記装置により記録されるか、または空いていることを特徴とする請求項１１に記載の情報記録媒体。
【請求項１７】
前記第１アドレス情報は、第１構造で前記装置により記録され、前記第２アドレス情報は、第２構造で前記装置により記録され、前記第１構造は、前記第２構造より少ないデータに対応することを特徴とする請求項１１に記載の情報記録媒体。
【請求項１８】
前記装置は、前記第１アドレス情報及び前記第２アドレス情報を記録するために、ウォッブル信号を利用することを特徴とする請求項１７に記載の情報記録媒体。
【請求項１９】
前記装置は、前記第１アドレス情報及び前記第２アドレス情報を記録するためにランド・プリピットを利用することを特徴とする請求項１７に記載の情報記録媒体。
【請求項２０】
前記第１構造は、３バイトのアドレス情報、１バイトの性質情報及び１バイトのパリティを含み、前記第２構造は、４バイトのアドレス情報、３バイトの性質情報、及び３バイトのパリティを含むことを特徴とする請求項１７に記載の情報記録媒体。
【請求項２１】
情報記録媒体の第１記録ブロック及び／または第２記録ブロックで放射状方向に重なる領域を生じさせることを防止する方法において、
第１保存領域で前記情報記録媒体の大きさにより、前記第１記録ブロックに対応する第１アドレス情報を保存して第１保存領域を設定することにより、前記情報記録媒体の前記第１記録ブロックの放射状方向に重なる領域が生じることを防止するステップと、
前記第２記録ブロックに対応する第２アドレス情報を保存し、前記第１保存領域に対して外側に配置される第２保存領域を設定するステップとを含み、
前記第２記録ブロックは、前記第１記録ブロックより大きいことを特徴とする方法。
【請求項２２】
前記第２アドレス情報を保存するステップは、前記第２アドレス情報の量が前記第１アドレス情報の大きさに対応するように、前記第２アドレス情報の量を調整するステップを含むことを特徴とする請求項２１に記載の方法。
【請求項２３】
前記第１アドレス情報及び前記第２アドレス情報は、相異なる構造を有することを特徴とする請求項２１に記載の方法。
【請求項２４】
前記第１保存領域を設定するステップは、前記情報記録媒体のリードイン領域に対応する前記第１保存領域を設定するステップを含むことを特徴とする請求項２１に記載の方法。
【請求項２５】
記録及び／または再生装置において、
第１記録ブロック及び第２記録ブロックで情報記録媒体の表面にデータを記録し、かつ／または前記表面からデータを読み出す光ピックアップと、
前記第１記録ブロック及び前記第２記録ブロックで情報記録媒体の表面に／からデータを記録及び／または再生し、第１長さの前記第１記録ブロック及び第２長さの前記第２記録ブロックを設定するために、前記光ピックアップを制御するコントローラとを備え、
前記情報記録媒体は、前記第１記録ブロックで前記コントローラにより記録されるデータ及び前記第１記録ブロックの対応する第１アドレス情報を保存する第１記録領域と、
前記第２記録ブロックで前記コントローラにより記録されるデータ及び前記第２記録ブロックの対応する第２アドレス情報を保存する第２記録領域とを備え、
前記第２長さは、前記情報記録媒体の内部トラックで前記第１記録ブロックの放射状方向に重なる領域の発生が防止されるように、前記第１長さより長いことを特徴とする装置。
【発明の詳細な説明】
【技術分野】
【０００１】
本発明は、光ディスクに係り、さらに詳細には、光ディスクに物理的アドレス情報を記録する方法及びその物理的アドレス情報が記録された光ディスクに関する。
【背景技術】
【０００２】
一般的に、光ディスクにデータを記録するとき、光ディスクのあらゆる領域にわたって同じ大きさの基本記録単位を使用しており、これを記録ブロックまたはＥＣＣ（Ｅｒｒｏｒ  Ｃｏｒｒｅｃｔｉｏｎ  Ｃｏｄｅ）ブロックという。１つの記録ブロックを記録するとき、光ディスク上に記録ブロックの位置を表すための記録用物理的アドレスも、光ディスクのあらゆる領域にわたって記録されており、あらゆる記録用アドレスは、同じ大きさと同じ構造とを有している。
【０００３】
記録ブロックのアドレスを表すアドレス情報を光ディスクに記録する方式のうち、アドレス情報をウォッブル変調してウォッブル信号を生成した後、光ディスクのトラックをウォッブル信号と同じ形態に成形することにより、記録ブロックのアドレス情報を記録する方法がある。
【０００４】
図１は、物理アドレス情報を表すウォッブル信号形態に成形されたディスクトラックを表す図である。ウォッブル変調の方法としては、ＭＷ（Ｍｏｎｏｔｏｎｅ  Ｗｏｂｂｌｅ）、ＳＴＷ（Ｓａｗ  Ｔｏｏｔｈ  Ｗｏｂｂｌｅ）、ＢＰＳＫ（Ｂｉｎａｒｙ  Ｐｈａｓｅ  Ｓｈｉｆｔ  Ｋｅｙｉｎｇ）、ＦＳＫ（Ｆｒｅｑｕｅｎｃｙ  Ｓｈｉｆｔ  Ｋｅｙｉｎｇ）及びＭＳＫ（Ｍｉｎｉｍｕｍ  Ｓｈｉｆｔ  Ｋｅｙｉｎｇ）のような方法がある。アドレス情報をウォッブル変調する方式は、モータ速度制御のような光ディスクアクセス側面で長所があり、光ディスクにおいて記録ブロックのアドレス情報記録方式として広く使われる。
【０００５】
ウォッブルアドレス情報以外の情報を含めることもあるが、かかる情報として、光ディスクの種類または性質に関する情報などがある。ウォッブルは、光ディスクのあらゆる領域にわたって１つの類型だけを使用しており、ウォッブルに記録アドレス情報が含まれている場合、記録アドレスの構造も光ディスクの全領域にわたって同一である。
【０００６】
図１を参照するに、単一周波数のサイン波でアドレス情報を変調するＭＷ方式によって生成されたウォッブル信号と同じ形態にトラックが成形されている。トラックの中心には、記録データに該当するマークが形成されている。
【０００７】
図示されているように、トラックに成形されて１つの記録ブロックのアドレスを表すウォッブル信号は、１つの記録ブロックの長さと同じ長さを有する。
【０００８】
図２は、従来技術によって位相変調方式を利用したウォッブル信号を表す図である。図２には、基本ウォッブル信号１０個周期分量のウォッブル信号が図示されている。図２を参照するに、上の信号は、トラックに沿って実際に成形されたウォッブル信号を表し、下の信号は、光ディスクドライブのピックアップ部により前記ウォッブル信号が読み取られ、所定信号処理されて生成された矩形波である。
【０００９】
図２に図示された前記矩形波は、単位ウォッブル信号１０個周期分量のウォッブル信号に対応するデータ値「０，１，０，０，０，０，１，１，０，０」を表す。図示された単位ウォッブル信号１０個周期分量のウォッブル信号以前に、「０」のデータ値を表す単位ウォッブル信号８３個周期分量のウォッブル信号が記録され、単位ウォッブル信号９３個周期分量のウォッブルで、１つのアドレス情報ビット値「１」を表す。そして、総５２ビットが１つの記録ブロックの記録アドレスを表す。
【００１０】
図３は、従来技術であるＭＳＫ方式によるウォッブル信号を表す図である。図３を参照するに、単位ウォッブル信号８個周期分量のウォッブル信号を表す。
【００１１】
単位ウォッブル信号１個周期にそれぞれ対応するウォッブルの周波数を調べれば、周波数がｆまたは１．５ｆであり、異なる周波数が存在する。前記従来技術によれば、単位ウォッブル信号５６個周期分量のウォッブル信号で１ビットのアドレス情報を表すが、周波数がそれぞれ１．５ｆ，ｆ，１．５ｆである連続する３個のウォッブルが単位ウォッブル信号５６個周期分量のウォッブル信号でどこに位置するかにより、１つのアドレス情報ビット値が決定される。図３に図示された従来技術によれば、総８３ビットが１つの記録ブロックの記録アドレスを表す。
【００１２】
図４は、従来のランド・プリピット（ＬＰＰ：Ｌａｎｄ  Ｐｒｅ−Ｐｉｔ）方式によって物理的アドレスを記録した場合を表す図である。ＬＰＰ方式とは、トラックがランドトラックとグルーブトラックの二種からなる光ディスクにおいて、グルーブトラックにユーザデータなどのデータを記録し、ランドトラックには対応する物理的アドレスを表すピットを記録する方式をいう。
【００１３】
図４を参照するに、グルーブトラックに沿って形成されたモノトーンウォッブルの各ピークに対応するランドトラックへのピット記録いかんによって１つのデータ値を表す。すなわち、ランドトラックにピットが形成された場合は、データ値「１」を表し、ピットが形成されていない場合は、データ値「０」を表す。かかる２０８個のデータ値が集まってアドレス情報１２ビットを表し、１９２ビットが１つの記録ブロックのアドレスを表す。
【００１４】
最近には、カムコーダのように音声だけではなく、映像情報まで共に記録及び／または再生できる携帯用電子装置の情報記録媒体として光ディスクを利用しようとする試みがある。
【００１５】
しかし、従来の光ディスクをカムコーダまたはデジタルカメラのような携帯用電子装置に利用するにはさまざまな問題がある。すなわち、現在主に使われる８０ｍｍまたは１２０ｍｍサイズの光ディスクをカムコーダの情報記録媒体として利用するには大きすぎ、電力消費が大きいという問題がある。
【００１６】
従って、カムコーダのような携帯用電子装置の情報記録媒体として光ディスクを利用するためには、従来の光ディスクよりサイズはさらに小さい一方、データ記録密度はさらに向上した小型の光ディスクが要求される。
【００１７】
しかし、従来の光ディスクに比べて小サイズの小型光ディスクに、従来と同じ大きさの記録ブロック（またはＥＣＣブロック）単位でデータを記録する場合、小型光ディスクの内周領域へのデータ記録時に問題が発生する。
【００１８】
図５は、従来の記録ブロック単位でデータが記録された小型光ディスクの最内周領域を表す図である。図５を参照するに、小型光ディスクの中心から半径６ｍｍの最内周のデータ記録領域に６４ＫＢｙｔｅの従来の記録ブロック単位で、内周から外周側にデータを記録する場合、１つの従来記録ブロックは、図５に図示された点Ａから点Ｄまでの領域に記録される。すなわち、従来の記録ブロックを最内周領域から記録すれば、二輪のトラックにわたって記録され、図５に図示されているように、１つの記録ブロックが放射状方向に重なる領域が発生する。１つの記録ブロックが放射状方向に重なる領域にスクラッチ、ホコリまたは指紋などにより欠陥が発生するならば、放射状方向に重なっていない記録ブロックに欠陥が発生した場合に比べてその欠陥発生の影響が倍加され、エラー訂正能力が顕著に低下するようになり、再生データの信頼性に問題を引き起こすことがある。
【００１９】
記録ブロックが放射状方向に重なる領域が生じることを防止するために、相異なるフォーマットの複数類型の記録ブロックを採択するという方法がある。さらに詳細に説明すれば、小型光ディスクの内周領域には、小型光ディスクの内周の所定のトラック長より短い第１記録ブロック単位でデータを記録し、それ以外の小型光ディスクのデータ領域には、第１記録単位の長さより長い第２記録ブロック単位でデータを記録することにより、記録ブロックが放射状方向に重なる領域が生じることを防止する。
【００２０】
第２記録単位の長さを第１記録単位の長さと同一にせずに、さらに長くするという理由は、エラー訂正の性能面で見るとき、記録ブロックの大きさが大きいほど有利であるためである。
【００２１】
しかし、データ記録領域に相異なる種類の記録ブロックが存在するとき、従来技術によれば、各記録ブロックのアドレスを表せないという問題がある。すなわち、図１に図示されているように、従来技術によれば、１つの記録ブロックのアドレスを表すアドレス情報の長さは、記録ブロックの物理的長さと同一であり、１つのアドレス記録方式及び１つのアドレス情報体系を採択する。
【００２２】
従って、相異なる種類の記録ブロックが存在するとき、従来技術によれば、各記録ブロックのアドレスを表せないという問題があるので、新しい記録ブロックのアドレス記録方式が必要である。
【００２３】
一方、記録ブロックが放射状方向に重なる領域が生じるという問題は、小型光ディスクの内周領域だけではなく、従来より小さな記録半径、例えば約６ｍｍの半径にデータを記録する場合にも発生する。
【発明の開示】
【発明が解決しようとする課題】
【００２４】
よって、本発明が解決しようとする技術的課題は、相異なる種類の記録ブロックを利用して光ディスクにデータを記録できるようにするための記録ブロックのアドレス情報が記録された光ディスクを提供するところにある。
【００２５】
本発明が解決しようとする他の技術的課題は、相異なる種類の記録ブロックを利用して光ディスクにデータを記録できるようにするための記録ブロックのアドレス情報を記録する方法を提供するところにある。
【課題を解決するための手段】
【００２６】
前記課題を解決するための本発明による光ディスクは、最内周領域から所定領域までの第１記録単位領域と、前記所定領域から最外周領域までの第２記録単位領域とを備え、前記第１記録単位領域には、前記第１記録単位領域の所定の１トラックの長さより短い第１記録単位にデータが記録され、前記第２記録単位領域には、前記第１記録単位の長さより長い第２記録単位にデータが記録され、前記第１記録単位領域のそれぞれの第１記録単位の物理的アドレス情報を表す第１類型のアドレス情報が記録され、前記第２記録単位領域のそれぞれの第２記録単位の物理的アドレス情報を表す第２類型のアドレス情報が記録されたことを特徴とする。
【００２７】
前記他の課題を解決するための本発明による光ディスクのための物理的アドレス情報の記録方法は、第１記録単位領域及び第２記録単位領域を備え、前記第１記録単位領域には、前記第１記録単位領域の所定の１トラックの長さより短い第１記録単位にデータが記録され、前記第２記録単位領域には、前記第１記録単位の長さより長い第２記録単位にデータを記録する光ディスクに物理的アドレス情報を記録する方法において、前記第１記録単位の物理的アドレス情報を記録する場合、前記第１記録単位の長さと同じ長さを有する第１類型の物理的アドレス情報を記録するステップと、前記第２記録単位の物理的アドレス情報を記録する場合、前記第２記録単位の長さと同じ長さを有する第２類型の物理的アドレス情報を記録するステップとを含むことが望ましい。
【発明の効果】
【００２８】
本発明の一実施形態によれば、光ディスクへのデータ記録時に、記録ブロックが放射状方向に重なる領域が生じることを防止するために、相異なるフォーマットの複数類型の記録ブロックを採用し、相異なる種類の記録ブロックのための相異なる類型の物理的アドレス情報を光ディスクに記録することにより、各記録ブロックの記録位置を効果的に表すことができる。
【発明を実施するための最良の形態】
【００２９】
本発明の付加的な特徴及び／または利点は、次の詳細な説明で説明し、詳細な説明から明確になり、かつ実行によって理解できるようになるであろう。
【００３０】
以下、添付された図面を参照し、本発明による望ましい実施形態を詳細に説明する。
【００３１】
図６は、本発明の一実施形態による光ディスク構造を表す図である。図６を参照するに、光ディスクは、リードイン領域、ユーザデータ領域及びリードアウト領域が順次に設けられており、記録ブロックが放射状方向に重なる領域が生じることを防止するために、リードイン領域は、第１記録ブロック単位でデータが記録され、それ以外の領域、すなわちユーザデータ領域及びリードアウト領域は、第１記録単位の長さより長い第２記録ブロック単位でデータが記録される。第１記録ブロック単位でデータが記録された領域を第１記録単位領域とし、第２記録ブロック単位でデータが記録された領域を第２記録単位領域とする。
【００３２】
また、第１記録単位領域であるリードイン領域には、第１記録ブロックのための物理的アドレス情報類型１によってアドレス情報が記録されており、第２記録単位領域のユーザデータ領域及びリードアウト領域には、第２記録ブロックのための物理的アドレス情報類型２によってアドレス情報が記録されている。
【００３３】
本実施形態では、第１記録ブロック単位と第２記録ブロック単位の二種の記録ブロック類型を利用しているが、これに限定されずに、二以上の相異なる類型の記録ブロック単位でデータを記録できる。また、リードイン領域とユーザデータ領域との境界を基準に、第１記録単位領域と第２記録単位領域とに区分され、記録ブロック単位と物理的アドレス情報類型とを異ならせたが、これに限定されず、必要によって光ディスク上の適切な領域を境界とすることができる。
【００３４】
図７Ａ及び７Ｂは、第１記録ブロック単位及び第２記録ブロック単位にそれぞれ対応するアドレス情報を表す図である。図７Ａは、第１記録ブロック単位に対応するアドレス情報である第１類型のアドレス情報が第１記録ブロックの長さｌ１に合わせて記録されているということを表す図である。図７Ｂは、第２記録ブロック単位に対応するアドレス情報である第２類型のアドレス情報が第２記録ブロックの長さｌ２に合わせて記録されているということを表す。
【００３５】
第２記録ブロックに対応するアドレス情報の長さｌ２は、第１記録ブロックに対応するアドレス情報の長さｌ１より長い。
【００３６】
図７Ａ及び７Ｂに図示された第１類型のアドレス情報及び第２類型のアドレス情報を表す方法としては、次のような多様な実施形態を考えることができる。まず、物理的アドレス情報をウォッブルで表した場合を説明する。次例のようなウォッブルとは、同じウォッブル周期の間に獲得した情報量が同じであるウォッブルをいい、異なるウォッブルとは、同じウォッブル周期の間に獲得した情報量が異なるウォッブルをいう。
【００３７】
本発明の一実施形態で、異なるウォッブルをおき、第１類型のアドレス情報及び第２類型のアドレス情報を相異なるウォッブルを利用して記録するが、第１類型のアドレス情報及び第２類型のアドレス情報の量は、同一とする方式を使用できる。例えば、図２に図示したウォッブル信号の場合、単位ウォッブル信号９３個周期分量のウォッブルで１つのアドレス情報ビット値「１」を表し、総５２ビットが１つの記録ブロックの記録アドレスを表す。かかる方式のウォッブルを第２類型のアドレス情報として利用し、第１類型のアドレス情報のためには、単位ウォッブル信号９３個周期分量のウォッブルより少数のウォッブルで１つのビット値を表す。すなわち、さらに小さい長さにさらに多くの情報を記録することにより、第１類型のアドレス情報及び第２類型のアドレス情報の量は同一にする。
【００３８】
本発明の他の実施形態で、第１類型のアドレス情報及び第２類型のアドレス情報を同じウォッブルを利用し記録するが、第１類型のアドレス情報の物理的長さであるｌ１に第２類型のアドレス情報の長さを合わせる方式を使用できる。代わりに、第２類型のアドレス情報の記録のための領域として、空き領域には何らのアドレス情報を記録しないか、または別途の付加情報、例えば光ディスクの種類、光ディスクの性質（記録パワー、複製防止いかんなど）に関する情報を記録する。
【００３９】
本発明のさらに他の実施形態で、ウォッブルに関係なく異なる物理的アドレス情報構造を採択し、相異なるアドレス情報の量を獲得させる方式を使用できる。すなわち、第１類型のアドレス情報の物理的長さであるｌ１が第２類型のアドレス情報の物理的長さｌ２より小さいので、これに合わせて第１類型のアドレス情報の量を第２類型のアドレス情報の量より小さくする。例えば、第１類型のアドレス情報をアドレス情報３バイト、付加情報１バイト及びパリティ１バイトとするならば、第２類型のアドレス情報は、アドレス情報４バイト、付加情報３バイト及びパリティ３バイトと設定するのである。
【００４０】
以下では、物理的アドレス情報を図４に図示したＬＰＰ方式を利用して表した例を説明する。
【００４１】
本発明の一実施形態で、１つの物理的アドレス情報のビット値を表すためのピットにより表現されるデータ値の個数を変化させることにより、同じアドレス情報量を獲得する方式を使用できる。図４に図示したＬＰＰ方式によれば、グルーブトラックに沿って形成されたモノトーンウォッブルの各ピークに対応するランドトラックに、ピットの記録いかんによって１つのデータ値を表し、かかる２０８個のデータ値が集まってアドレス情報１２ビットを表す。もし、図４に図示したＬＰＰ方式によって第２類型のアドレス情報を表すならば、第１類型のアドレス情報のためには、２０８個よりさらに少数のデータ値を集めてアドレス情報１２ビットを表すようにする。
【００４２】
本実施形態では、ＬＰＰ方式、すなわちランドトラックに物理的アドレス情報を記録する場合を説明しているが、これに限定されず、ＧＰＰ（Ｇｒｏｏｖｅ  Ｐｒｅ−Ｐｉｔ）方式、すなわちグルーブトラックに物理的アドレス情報を記録する場合も、もちろん可能である。
【００４３】
本発明の他の実施形態で、第１類型のアドレス情報及び第２類型のアドレス情報を相異なる方式のアドレス情報構造を使用してランド領域にピットを記録するか、または記録しないことにより、アドレス情報を記録する方式を使用できる。すなわち、第１類型のアドレス情報の物理的長さであるｌ１が第２類型のアドレス情報の物理的長さｌ２より小さいので、これに合わせて第１類型のアドレス情報の量を第２類型のアドレス情報の量より小さくする。例えば、第１類型のアドレス情報をアドレス情報３バイト、付加情報１バイト及びパリティ１バイトとするならば、第２類型のアドレス情報は、アドレス情報４バイト、付加情報３バイト及びパリティ３バイトと設定するのである。
【００４４】
一方、本発明の実施形態において、光ディスク上に記録されたウォッブルから獲得した情報量が異なる二以上の構造を有している場合、二以上の構造のうちいかなる構造から獲得したアドレス情報であるかを判明できる情報を追加することが望ましい。光ディスクは、ＣＤ−Ｒ、ＣＤ−ＲＯＭ、ＤＶＤ、ブルーレイ（Ｂｌｕ−Ｒａｙ）、ＡＯＤ（アドバンスドオプティカルディスク）などでありうる。
【００４５】
図８は、図６、図７Ａ、及び図７Ｂの情報記録媒体の記録ブロックとアドレス情報とが具現される本発明の一実施形態による光記録及び／または再生装置のブロック図である。図８を参照するに、記録及び／または再生装置は、書き込み／読み出し部１０００及び制御部１００２を含む。書き込み／読み出し部１０００は、制御部１００２からのコマンドによって情報記録媒体１３０から読み出したり、または情報記録媒体１３０に書き込む。ここで、情報記録媒体１３０は、図６、図７Ａ及び図７Ｂに図示されたさまざまな実施形態を含み、制御部１００２は、内部トラックにアドレス情報が記録された第１記録ブロックの放射状方向に重なる領域が生じることを防止するために、書き込み／読み出し部１０００のデータ書き込み／読み出し動作を制御する。
【００４６】
図８を参照するに、制御部１００２の制御により、書き込み／読み出し部１０００は、本発明の一実施形態による情報記録媒体のディスク１３０にデータを書き込み、書き込まれたデータを再生するためにデータを読み出す。制御部１００２は、書き込み／読み出し部１０００を制御し、書き込み／読み出し部１０００が異なる長さを有する第１記録単位ブロック及び第２記録単位ブロックにデータを記録したり、または書き込み／読み出し部１０００により読み出されたデータを処理して有効なデータを獲得させる。再生は、読み出されたデータに対するエラー訂正を行うことにより、有効なデータを獲得することを指し、所定の単位で行われる。再生を行う単位は、再生単位ブロックを指す。再生単位ブロックは、少なくとも１つの記録単位ブロックに対応する。
【００４７】
図９は、図８の光記録及び／または再生装置のさらに詳細なブロック図である。図９を参照するに、情報記録媒体１３０が書き込み／読み出し部１０００に搭載される。記録及び／または再生装置は、情報記録媒体１３０に書き込んで読み出す光ピックアップ１１００をさらに備える。制御部１００２は、ＰＣＩ／Ｆ  １１０１、ＤＳＰ  １１０２、ＲＦ  ＡＭＰ  １１０３、サーボ１１０４、及びシステムコントローラ１１０５を備え、これらはいずれも図８の制御部１００２を構成する。
【００４８】
データ記録動作で、ＰＣＩ／Ｆ  １１０１は、ホストから記録されるデータと共に記録コマンドを受信する。ＤＳＰ  １１０２は、ＰＣＩ／Ｆ  １１０１から受信されたデータのエラー訂正のためのパリティのような付加的なデータを付加し、エラー訂正ブロックであるＥＣＣ（Ｅｒｒｏｒ  Ｃｏｒｒｅｃｔｉｏｎ  ａｎｄ  Ｃｈｅｃｋｉｎｇ）ブロックを生成するために、ＥＣＣ符号化を実行し、所定の方法によってＥＣＣブロックを変調する。ＲＦ  ＡＭＰ  １１０３は、ＤＳＰ  １１０２から出力されたデータをＲＦ信号に変換する。光ピックアップ１１００は、ＲＦ  ＡＭＰ  １１０３から出力されたＲＦ信号を図７Ａ及び７Ｂに図示されているような第１記録ブロック及び第２記録ブロックにディスク１３０に記録する。サーボ１１０４は、システムコントローラ１１０５からサーボコントロールのために必要なコマンドを受信し、光ピックアップ１１００をサーボコントロールする。
【００４９】
データ再生動作で、ＰＣＩ／Ｆ  １１０１は、ホスト（図示せず）から再生コマンドを受信する。システムコントローラ１１０５は、再生に必要な初期化を行う。光ピックアップ１１００は、ディスク１３０にレーザビームを放出し、ディスク１３０から反射されたビームを受信することによって光信号を獲得し、光信号を出力する。ＲＦ  ＡＭＰ  １１０３は、光ピックアップ１１００から出力された光信号をＲＦ信号に変換し、ＲＦ信号から獲得された変調されたデータをＤＳＰ  １１０２に提供する一方、ＲＦ信号から獲得された光ピックアップ１１００の制御のためのサーボ信号をサーボ１１０４に提供する。ＤＳＰ  １１０２は、変調されたデータを復調し、エラー訂正を行い、その結果として生じるデータを出力する。
【００５０】
それまで、サーボ１１０４は、ＲＦ  ＡＭＰ  １１０３から受信されたサーボ信号及びシステムコントローラ１１０５から受信されたサーボコントロールのために必要なコマンドを利用し、光ピックアップ１１００のサーボコントロールを行う。ＰＣＩ／Ｆ  １１０１は、ＤＳＰ  １１０２から受信されたデータをホストに伝達する。
【００５１】
本発明の実施形態が図示されて説明されたが、当技術分野の当業者は、特許請求の範囲及びその均等範囲で定義される本発明の原理及び意図から外れずに、それら実施形態に変形がなされうるということが理解できるであろう。
【図面の簡単な説明】
【００５２】
【図１】物理アドレス情報を表すウォッブル信号形態に成形されたディスクトラックを表す図である。
【図２】従来技術によって位相変調方式を利用したウォッブル信号を表す図である。
【図３】従来技術であるＭＳＫ方式によるウォッブル信号を表す図である。
【図４】従来のランド・プリピット方式によって物理的アドレスを記録した場合を表す図である。
【図５】従来の記録ブロック単位でデータが記録された小型光ディスクの最内周領域を表す図である。
【図６】本発明の一実施形態による光ディスク構造を表す図である。
【図７Ａ】第１記録ブロック単位に対応するアドレス情報を表す図である。
【図７Ｂ】第２記録ブロック単位に対応するアドレス情報を表す図である。
【図８】本発明の一実施形態による光記録及び／または再生装置のブロック図である。
【図９】図８の光記録及び／または再生装置のさらに詳細なブロック図である。
【図１】
2007527088.tif 000003
【図２】
2007527088.tif 000004
【図３】
2007527088.tif 000005
【図４】
2007527088.tif 000006
【図５】
2007527088.tif 000007
【図６】
2007527088.tif 000008
【図７Ａ】
2007527088.tif 000009
【図７Ｂ】
2007527088.tif 000010
【図８】
2007527088.tif 000011
【図９】
2007527088.tif 000012
【国際調査報告】
2007527088.tif 000013
2007527088.tif 000014